(57)【要約】      （修正有）【課題】ペットの飼い主の心情に十分に応え、可愛いペットを失った飼い主の心を癒すことのできるペット用シーツ及びペット用棺を提供する。【解決手段】ペットの死骸Ｐを包み込むためのペット用シーツ１０は、矩形状の布地１１のいずれか一方の面１２に、隣接する二辺１３，１４に沿ってレース１５が取り付けられており、レース１５の取付部１６，１７は二辺１３，１４から所定幅Ｄの折り代部分を隔てて設けられ、布地１１の他方の面において、二辺１３，１４によって挟まれた角部２０と折り代部分とを内側に折ると、レース１５が出現するように構成する。【選択図】図１
0003152576.tif 000002
【実用新案登録請求の範囲】
【請求項１】
ペットの死骸を包み込むためのペット用シーツであって、
矩形状の布地のいずれか一方の面に、隣接する二辺に沿ってレースが取り付けられており、該レースの取付部は前記二辺から所定幅の折り代部分を隔てて設けられ、前記布地の他方の面において、前記二辺によって挟まれた角部と前記折り代部分とを内側に折ると、前記レースが出現するように構成されていることを特徴とするペット用シーツ。
【請求項２】
請求項１に記載のペット用シーツに包み込まれたペットの死骸を収容するペット用棺であって、
底板と側板とを有する箱体と、
少なくとも前記箱体の底板内面と側板内外面とを被覆可能な大きさを有し、周囲にレースが取り付けられたクロスと、
を備えていることを特徴とするペット用棺。
【考案の詳細な説明】
【技術分野】
【０００１】
本考案は、ペットの死骸を包み込むためのペット用シーツ、及び該ペット用シーツに包み込まれたペットの死骸を収容するペット用棺に関するものである。
【背景技術】
【０００２】
従来、犬や猫等のペットが死んだ場合、ペットの死骸をタオルに包んだり、ダンボール箱に収容したりして動物病院等の死んだ場所から自宅又は火葬場等の死体処理場に搬送している（例えば、非特許文献１参照）。
【先行技術文献】
【非特許文献】
【０００３】
【非特許文献１】ペットの森のウェブサイト(http://petnomori.jp/book/book/?bid=337)
【考案の概要】
【考案が解決しようとする課題】
【０００４】
しかしながら、上記した従来のペット搬送では、ペットの死骸を荷物のように扱っているため、ペットを丁重に葬りたいという飼い主の心情に十分に応えることができないといった問題があった。
【０００５】
本考案は、上記した課題を解決すべくなされたものであり、ペットの飼い主の心情に十分に応え、可愛いペットを失った飼い主の心を癒すことのできるペット用シーツ及びペット用棺を提供することを目的とするものである。
【課題を解決するための手段】
【０００６】
上記した目的を達成するため、本考案は、ペットの死骸を包み込むためのペット用シーツであって、矩形状の布地のいずれか一方の面に、隣接する二辺に沿ってレースが取り付けられており、該レースの取付部は前記二辺から所定幅の折り代部分を隔てて設けられ、前記布地の他方の面において、前記二辺によって挟まれた角部と前記折り代部分とを内側に折ると、前記レースが出現するように構成されていることを特徴とするペット用シーツ。
【０００７】
また、本考案は、前記ペット用シーツに包み込まれたペットの死骸を収容するペット用棺であって、底板と側板とを有する箱体と、少なくとも前記箱体の底板内面と側板内外面とを被覆可能な大きさを有し、周囲にレースが取り付けられたクロスとを備えていることを特徴とする。
【考案の効果】
【０００８】
本考案によれば、ペットの死骸をペット用シーツで包み込んだり、ペット用棺に収容したりして、動物病院等の死んだ場所から自宅又は火葬場等の死体処理場に搬送することができるため、ペットを丁重に葬りたいという飼い主の心情に十分に応えることができると共に、可愛いペットを失った飼い主の心を癒すことができる等、種々の優れた効果を得ることができる。
【図面の簡単な説明】
【０００９】
【図１】本考案の実施の形態に係るペット用シーツの一方の面を示す平面図である。
【図２】本考案の実施の形態に係るペット用シーツの使用方法を示す平面図である。
【図３】本考案の実施の形態に係るペット用シーツの使用方法を示す平面図である。
【図４】本考案の実施の形態に係るペット用シーツの使用方法を示す平面図である。
【図５】本考案の実施の形態に係るペット用シーツの使用方法を示す平面図である。
【図６】本考案の実施の形態に係るペット用棺にペット用シーツを収容した状態を示す斜視図である。
【図７】本考案の実施の形態に係るペット用棺を示す斜視図である。
【図８】本考案の実施の形態に係るペット用棺を示す断面図である。
【考案を実施するための形態】
【００１０】
以下、図面を参照しつつ、本考案の実施の形態について説明する。
【００１１】
図１に示すように、本考案の実施の形態に係るペット用シーツ１０は、正方形のサテン素材の布地１１のいずれか一方の面１２において、隣接する二辺１３，１４に沿ってそれぞれレース１５が縫着されて構成されている。レース１５の縫着部１６，１７は、それぞれ隣接する二辺１３，１４から所定幅Ｄの折り代部分１８，１９を隔てて設けられており、一方の面１２の二辺１３，１４によって挟まれた角部２０の近傍位置と布地１１の他方の面２１には、それぞれ緑色の印２２が付けられている。
【００１２】
このような構成を備えたペット用シーツ１０を使用してペットの死骸Ｐを包み込む場合、先ず、図２に示すように、他方の面２１を表側にしてペット用シーツ１０を置き、緑色の印２２同士が合致するように角部２０を他方の面２１の内側に折ると共に、図３に示すように、折り代部分１８，１９をそれぞれ縫着部１６，１７に沿って他方の面２１の内側に折り、レース１５を出現させる。
【００１３】
次に、図４に示すように、頭部が角部２０側に来るようにペットの死骸Ｐをペット用シーツ１０の他方の面２１上に載置し、ペットの死骸Ｐの足元側角部２３の布地１１を他方の面２１の内側に折り、ペットの死骸Ｐ上に掛ける。さらに、ペットの死骸Ｐの左右両側部分の布地１１をそれぞれ他方の面２１の内側に折ってペットの死骸Ｐをペット用シーツ１０でふんわりと包み込み、ペットの死骸Ｐの頭部の周りをレース１５で囲う。
【００１４】
その後、図６に示すように、このようにペット用シーツ１０で包み込んだペットの死骸Ｐをペット用棺３０に収容する。
【００１５】
このペット用棺３０は、図７及び図８に示すように、底板３１と側板３２とを有する箱体３３と、底板３１の内面と側板３２の内外面とを被覆可能な大きさを有するサテン素材のクロス３４とを備えており、クロス３４の周囲にはレース３５が縫着されている。また、ペット用棺３０は、タオル等を丸めて形成された枕３６を備えていてもよく、この枕３５をペットの死骸Ｐの頭部の下に挿入することにより、棺３０の外からペットの顔が視認し易くなる。さらに、ペット用棺３０は、箱体３３の上方を閉塞可能な蓋体３７を備えていてもよく、この蓋体３７は、箱体３３の上方を開放する際、図８中の二点鎖線のように、箱体３３の下方に重合されるようになっている。
【００１６】
このように上記した本考案の実施の形態に係るペット用シーツ１０及びペット用棺３０によれば、ペットの死骸Ｐをレース１５付きのシーツ１０で包み込んだり、レース３５付きのクロス３４を備えた棺３０に収容したりして、動物病院等の死んだ場所から自宅又は火葬場等の死体処理場に搬送することができるため、ペットを丁重に葬りたいという飼い主の心情に十分に応えることができると共に、可愛いペットを失った飼い主の心を癒すことができる。
【００１７】
なお、上記した実施の形態に係るペット用シーツ１０やペット用棺３０の形状、素材、或いは布地１１に対するレース１５の取付方法等は単なる例示に過ぎず、各種変更が可能であることは言う迄もない。
【符号の説明】
【００１８】
１０          ペット用シーツ
１１          布地
１２          一方の面
１３，１４    隣接する二辺
１５          レース
１６，１７    縫着部（取付部）
１８，１９    折り代部分
２０          角部
２１          他方の面
３０          ペット用棺
３１          底板
３２          側板
３３          箱体
３４          クロス
３５          レース
Ｐ            ペットの死骸
【図１】
0003152576.tif 000003
【図２】
0003152576.tif 000004
【図３】
0003152576.tif 000005
【図４】
0003152576.tif 000006
【図５】
0003152576.tif 000007
【図６】
0003152576.tif 000008
【図７】
0003152576.tif 000009
【図８】
0003152576.tif 000010